(57)【特許請求の範囲】
【請求項１】
インフレータを収納する収納部を形成したハウジングと、開口部を設けた袋体と、開口部を袋体開口部に合わせて袋体開口周縁部に取り付けた重合部と重合部に連続する遊離部とを有する補強布とを備え、両開口部を収納部のガス吐出口に合わせるようにして、補強布を収納部外壁に沿って配置すると共に、補強布の遊離部をハウジングに固定するようにしたことを特徴とするエアバッグ装置。
【請求項２】
収納部を円筒形状に形成したことを特徴とする請求項１記載のエアバッグ装置。
【請求項３】
収納部を分離可能にハウジングを構成し、補強布の遊離部をハウジングに形成した係止空間及び収納部の基端部に固定するようにしたことを特徴とする請求項１又は２記載のエアバッグ装置。
【請求項４】
補強布の遊離部を、芯部材を介して、ハウジングに形成した係止空間及び収納部の基端部に固定するようにしたことを特徴とする請求項１、２又は３記載のエアバッグ装置。
【請求項５】
補強布の遊離部に袋部を形成し、袋部に芯部材を挿入して、袋部をハウジングに形成した係止空間及び収納部の基端部に固定するようにしたことを特徴とする請求項１、２又は３記載のエアバッグ装置。
【請求項６】
補強布を筒状に形成し、この補強布内に収納部を挿入した状態で収納部をハウジングに結合し、補強布の遊離部を収納部とハウジングとの間に挟むようにして固定するようにしたことを特徴とする請求項３記載のエアバッグ装置。
【発明の詳細な説明】
【０００１】
【産業上の利用分野】
本発明は、車両衝突時に乗員を保護するエアバッグ装置に係るものであって、特に袋体の取り付けを容易にするエアバッグ装置に関する。
【０００２】
【従来の技術】
従来、この種のエアバッグ装置として、例えば、特開平６−２１９２２９号公報に記載のものが提供されている。
このものは、袋体の矩形状を呈する開口部の対向する一対の側縁に厚みを持たせ、この側縁を保持器（リテーナ）の係止溝に挿入して袋体を保持器に取り付けると共に、この保持器をハウジングの凹溝に挿入して取り付ける構造のものであった。
【０００３】
【発明が解決しようとする課題】
前記従来例においては、袋体をエアバッグ装置に取り付けるに際し、ボルト等の締結工程を削減している。
しかしながら、袋体は、その開口部の対向する一対の側縁だけを保持器に取り付ける構造であるため、袋体開口部が保持器によって密閉されているとはいえず、インフレータが作動したとき、保持器に取り付けていない袋体の側縁部からガスが漏れて、袋体の展開時間が遅れるおそれがあった。
このため、袋体の展開を速めるには、ガスの漏出量を見込んで、インフレータを必要以上に大きな容量のものとする必要性もあった。
【０００４】
本発明は、従来の技術の有するこのような問題点に鑑みてなされたものであり、その目的とするところは、ガスの漏れるおそれがなく、袋体の組み付け作業の容易なエアバッグ装置を提供しようとするものである。
【０００５】
【課題を解決するための手段】
上記目的を達成するために、本発明におけるエアバッグ装置は、インフレータを収納する収納部を形成したハウジングと、開口部を設けた袋体と、開口部を袋体開口部に合わせて袋体開口周縁部に取り付けた重合部と重合部に連続する遊離部とを有する補強布とを備え、両開口部を収納部のガス吐出口に合わせるようにして、補強布を収納部外壁に沿って配置すると共に、補強布の遊離部をハウジングに固定するようにしてある。
【０００６】
そして、収納部を円筒形状に形成してある。
また、収納部を分離可能にハウジングを構成し、補強布の遊離部をハウジングに形成した係止空間及び収納部の基端部に固定するようにしてある。
更に、補強布の遊離部を、芯部材を介して、ハウジングに形成した係止空間及び収納部の基端部に固定するようにしてある。
また、補強布の遊離部に袋部を形成し、袋部に芯部材を挿入して、袋部をハウジングに形成した係止空間及び収納部の基端部に固定するようにしてある。
また、補強布を筒状に形成し、この補強布内に収納部を挿入した状態で収納部をハウジングに結合し、補強布の遊離部を収納部とハウジングとの間に挟むようにして固定するようにしてある。
【０００７】
【作用】
本発明においては、袋体と補強布との両開口部を合わせて、補強布の重合部を袋体の開口周縁部に取り付けてある。そして、両開口部をハウジングに形成した収納部のガス吐出口に合わせるようにして、補強布を収納部外壁に沿って配置すると共に、重合部に連続する補強布の遊離部のみをハウジングに固定している。従って、袋体をハウジングに簡単に取り付けることができる。
【０００８】
そして、収納部を円筒形状にして、この外壁に沿わせて補強布の遊離部をハウジングに固定させると、補強布はピンと張った状態に取り付けられ、補強布の収納部外壁との接触部分にかかる力が均一となり、袋体の開口周縁部を収納部外壁に密に取り付けることができる。
また、収納部をハウジングと分離可能に形成すると、補強布の遊離部を収納部の基端部に固定した後に、この収納部をハウジングに結合することにより、袋体をハウジングに容易に取り付けることができる。
更に、補強布の遊離部を、芯部材を介して、ハウジングに形成した係止空間及び収納部の基端部に固定したり、あるいは、補強布の遊離部に袋部を形成し、この袋部に芯部材を挿入して、袋部をハウジングに形成した係止空間及び収納部の基端部に固定することにより、補強布の固定がより簡単且つ強固となる。
また、補強布を筒状に形成して、この補強布内に収納部を挿入した状態で収納部をハウジングに結合し、補強布の遊離部を収納部とハウジングとの間に挟むことにより、補強布の固定がより簡単となる。
【０００９】
【実施例】
実施例について図面を参照して説明する。
図１はエアバッグ装置の正面図、図２はエアバッグ装置の側面図、図３は図１のＢ−Ｂ線断面図、図４乃至図８は各実施例における図１のＡ−Ａ線断面図、図９は袋体及び補強布の斜視図である。
【００１０】
１０は、円柱形状を呈するインフレータ２０及び折り畳まれた袋体５０を収納するハウジングである。
ハウジング１０は、運転席用として取り付ける場合はステアリングホイールの内部に、助手席用として取り付ける場合はインストルメントパネルの内部に配置され、ブラケット１１を介して固定されている。
【００１１】
ハウジング１０は中空箱形状を呈し、上面板１２と、上面板１２の端部より折曲延成した背面板１３と、背面板１３の端部より折曲延成した下面板１４と、両側部に設けた側面板１５，１５とを有する。
そして、ハウジング１０には、その乗員に面する側（車室側）に開いた開口１６を形成してある。この開口１６は、蓋体７０により閉鎖されている。
【００１２】
上面板１２と下面板１４との開口１６側の先端部には、夫々蓋体７０を係止するための複数個の係止孔１７，１７…を形成してある。
また、背面板１３には、開口１６側に、長手方向に沿って一対に、先端部が夫々相対向する方向に折曲した断面Ｌ字状の係止片１８，１８を形成してある。ハウジング１０に形成した一対の係止片１８，１８により、後述する補強布６０を固定する係止空間Ｓが形成される。
【００１３】
本実施例では、インフレータ２０は、アルゴンを主成分とする圧縮ガスを使用したハイブリッド型のものを一例として示している。
２１は、インフレータ２０の長手方向の一端部に設けた、蓄圧容積部２２内で蓄圧された圧縮ガスをハウジング１０内に噴出させるための、ガス噴出口である。
ガス噴出口２１は、インフレータ２０の円周方向に９０°の間隔で設けられている。そして、これらガス噴出口からガスを噴出することによって、インフレータ２０に反力が加わらないようになっている。
【００１４】
インフレータ２０を収納する収納部は、図４乃至図６に示すように、ハウジング１０と分離可能に設けた収納部３０としてもよい。
また、図７及び図８に示すように、ハウジング１０に一体的に形成した収納部４０としてもよい。
【００１５】
ハウジング１０と別個に設ける収納部３０は、収納部３０をハウジング１０に取り付けるために、ハウジング１０の両係止片１８，１８間に挿入される取付板３１を有している。
取付板３１の中央部には、インフレータ２０を収納するために、中空の収納部本体３２を突出形成してある。この収納部本体３２は、円筒形状に形成すると、後述する補強布６０がピンと張った状態に取り付けられるので好ましい。
【００１６】
収納部本体３２の基端部３３には、後述する補強布６０を固定するために、係止片１８側に向けて、屈曲部３３ａを形成してある。
開口１６側のガス噴出口２１近傍の収納部本体３２には、インフレータ２０から噴出されるガスが袋体５０内に吐出されるように、ガス吐出口３４を形成してある。
【００１７】
図４に示す実施例においては、収納部３０がハウジング１０内に固定されるように、取付板３１の先端部を係止片１８の折曲縁１９に向けて折曲形成して、折曲縁３５を形成してある。そして、この折曲縁３５が、折曲縁１９と当接するように構成してある。
【００１８】
また、図５及び図６に示す実施例においては、前記折曲縁３５の先端部を更に相対向する方向に折曲して、折返縁３６を形成してある。
図５に示す実施例においては、折返縁３６は、折曲縁１９と当接するように構成してある。
図６に示す実施例においては、折返縁３６は、折曲縁１９との間に若干の隙間を設けて構成してある。
【００１９】
ハウジング１０と一体的に形成する収納部４０は、図７及び図８に示すように、両係止片１８，１８間に、中空の収納部４０を突出形成してある。
この収納部４０は、円筒形状に形成すると、後述する補強布６０がピンと張った状態に取り付けられるので好ましい。
【００２０】
収納部４０の基端部４３には、後述する補強布６０を固定しやすくするために、係止片１８側に向けて、屈曲部４３ａを形成してある。
また、開口１６側のガス噴出口２１近傍の収納部４０には、図４乃至図６に示す実施例と同様に、インフレータ２０から噴出されるガスが袋体５０内に吐出されるように、ガス吐出口４４を形成してある。
【００２１】
袋体５０には、図９に示すように、前記ガス吐出口３４，４４に対応して、開口部５１を設けてある。
そして、袋体５０は、その開口周縁部５２が収納部本体３２（又は収納部４０）を覆うように、ハウジング１０内に配設されている。
【００２２】
補強布６０は、長方形状を呈し、袋体５０と同素材のものにより作製すればよい。補強布６０には、袋体５０と同様に、ガス吐出口３４，４４に対応して開口部６１を設けてある。
補強布６０は、開口部６１周縁の重合部６２と、重合部６２に連続する遊離部６３とを有している。
【００２３】
そして、補強布６０は、図９に示すように、その開口部６１を袋体５０の開口部５１に合わせて、重合部６２を袋体５０の開口周縁部５２に縫着することにより、袋体５０に取り付けてある。
袋体５０は、この補強布６０を介して、ハウジング１０内に取り付けられている。
【００２４】
図４、図５及び図７に示す実施例においては、補強布６０の遊離部６３先端を袋縫いして、袋部６４を形成してある。
６５は、袋部６４内に挿通する芯部材である。
補強布６０は、両開口部５１，６１を収納部３０，４０のガス吐出口３４，４４に合わせるようにして、収納部３０，４０外壁に沿って配置すると共に、その遊離部６３をハウジング１０に固定するようにしてある。
【００２５】
図４に示す実施例においては、補強布６０の遊離部６３は、ハウジング１０に形成された係止空間Ｓと収納部３０の基端部３３とで固定される。
即ち、芯部材６５を挿通した袋部６４を、取付板３１、折曲縁３５、折曲縁１９、及び屈曲部３３ａにより構成される空間内に挿通することにより、補強布６０がハウジング１０に対して固定されている。
【００２６】
図５に示す実施例においては、補強布６０の遊離部６３は、収納部３０の基端部３３で固定される。
即ち、芯部材６５を挿通した袋部６４を、取付板３１、折曲縁３５、折返縁３６、及び屈曲部３３ａにより構成される空間内に挿通することにより、補強布６０がハウジング１０に対して固定されている。
【００２７】
図７に示す実施例においては、補強布６０の遊離部６３は、ハウジング１０に形成された係止空間Ｓと収納部４０の基端部４３とで固定される。
即ち、芯部材６５を挿通した袋部６４を、背面板１３、係止片１８、折曲縁１９、及び屈曲部４３ａにより構成される空間内に挿通することにより、補強布６０がハウジング１０に対して固定されている。
【００２８】
図６に示す実施例においては、補強布６０全体を筒状に形成してある。
そして、筒状の補強布６０を、収納部３０を挿入した状態で、収納部３０の取付板３１部分を係止空間Ｓ内に挿入することにより、収納部３０をハウジング１０に結合する。
かくして、収納部３０の取付板３１及び基端部３３を覆う補強布６０の遊離部６３は、収納部３０とハウジング１０との間で挟まれ、補強布６０は固定されることとなる。
取付板３１、折曲縁３５、折返縁３６及び屈曲部３３ａにより構成される空間内に芯部材６５を挿通すると、補強布６０はより強固にハウジング１０に固定されることとなる。
【００２９】
図８に示す実施例においては、長方形状の補強布６０の遊離部６３を、ハウジング１０内の背面板１３、係止片１８、折曲縁１９、及び屈曲部４３ａにより構成される係止空間Ｓ内に配置させると共に、芯部材６５を挿通することにより、補強布６０を固定している。
【００３０】
蓋体７０は、その上端部及び下端部に、夫々取付片７１，７２を突出形成してある。
各取付片７１，７２には、ハウジング１０の係止孔１７，１７…に対応して、取付突起７３，７３…を突出形成してある。
そして、取付突起７３，７３…を係止孔１７，１７…に嵌合することにより、蓋体７０がハウジング１０に取着されて、開口１６が閉鎖されている。
【００３１】
蓋体７０の所望部位、図示した実施例においては、取付片７２基部には、長手方向に向けて、インフレータ２０作動時に、蓋体７０を破断しやすくして袋体５０が速やかに膨張展開できるように、その肉厚を薄くして溝状の脆弱部７４を形成してある。
【００３２】
次に、袋体５０をハウジング１０内に取り付ける方法について説明する。
図４に示す実施例においては、まず、両開口部５１，６１を収納部３０のガス吐出口３４に合わせるようにして、補強布６０を収納部３０外壁に沿って配置する。
次いで、芯部材６５を挿通した袋部６４を、収納部３０の取付板３１、折曲縁３５、及び屈曲部３３ａにより構成される空間内に挿通して、補強布６０を収納部３０に固定することにより、折り畳まれた袋体５０を収納部３０に取り付けることができる。
そして、袋体５０を取り付けた収納部３０をハウジング１０の係止片１８，１８間に挿入して収納した後、ハウジング１０の側面部を固定手段となる側面板１５で覆うことにより、係止空間が閉塞され、袋体５０及びインフレータ２０の移動を阻止することができる。
【００３３】
図５に示す実施例においては、まず、両開口部５１，６１を収納部３０のガス吐出口３４に合わせるようにして、補強布６０を収納部３０外壁に沿って配置する。
次いで、芯部材６５を挿通した袋部６４を、収納部３０の取付板３１、折曲縁３５、折返縁３６、及び屈曲部３３ａにより構成される空間内に挿通して、補強布６０を収納部３０に固定することにより、折り畳まれた袋体５０を収納部３０に取り付けることができる。
後は、図４に示す実施例と同様に、袋体５０を取り付けた収納部３０をハウジング１０の係止片１８，１８間に挿入して収納して、ハウジング１０の側面部に側面板１５を取り付ければよい。
【００３４】
図６に示す実施例においては、まず、両開口部５１，６１を収納部３０のガス吐出口３４に合わせるようにして、収納部３０を補強布６０内に挿入する。
次いで、補強布６０の遊離部６３を、収納部３０の取付板３１、折曲縁３５、折返縁３６、及び屈曲部３３ａにより構成される空間内に芯部材６５を挿通して、補強布６０を収納部３０に固定することにより、折り畳まれた袋体５０を収納部３０に取り付けることができる。
後は、図４に示す実施例と同様に、袋体５０を取り付けた収納部３０をハウジング１０の係止片１８，１８間に挿入して収納して、ハウジング１０の側面部に側面板１５を取り付ければよい。
【００３５】
図７に示す実施例においては、まず、両開口部５１，６１を収納部４０のガス吐出口４４に合わせるようにして、補強布６０を収納部４０外壁に沿って配置する。
次いで、芯部材６５を挿通した袋部６４を、背面板１３、係止片１８、折曲縁１９、及び屈曲部４３ａにより構成される係止空間Ｓ内に、ハウジング１０の側面から挿通して、補強布６０をハウジング１０に固定することにより、折り畳まれた袋体５０をハウジング１０に収納することができる。
その後、ハウジング１０の側面部に側面板１５を取り付ければよい。
【００３６】
図８に示す実施例においては、まず、両開口部５１，６１を収納部４０のガス吐出口４４に合わせるようにして、補強布６０を収納部４０外壁に沿って配置する。
次いで、補強布６０の遊離部６３を、背面板１３、係止片１８、折曲縁１９、及び屈曲部４３ａにより構成される係止空間Ｓ内に配置させると共に、芯部材６５を挿通して、補強布６０をハウジング１０に固定することにより、折り畳まれた袋体５０をハウジング１０に収納することができる。
その後、ハウジング１０の側面部に側面板１５を取り付ければよい。
【００３７】
【発明の効果】
本発明は、上述のとおり構成されており、袋体の開口周縁部に取り付けた補強布を収納部外壁に沿って配置すると共に、補強布の遊離部のみをハウジングに対して固定させるので、袋体をハウジングに簡単に取り付けることができる。
そして、収納部を円筒形状にして、この外壁に沿わせて補強布の遊離部をハウジングに固定させることにより、補強布はピンと張った状態に取り付けられ、補強布の収納部外壁との接触部分にかかる力が均一となり、袋体の開口周縁部を収納部外壁に密に取り付けることができる。
また、収納部をハウジングと分離可能に形成すると、補強布の遊離部を収納部の基端部に固定した後に、この収納部をハウジングに取り付けることができるので、袋体をハウジングに更に容易に取り付けることができる。
更に、補強布の遊離部を、芯部材を介して、ハウジングに形成した係止空間又は収納部の基端部に固定したり、あるいは、補強布の遊離部に袋部を形成し、この袋部に芯部材を挿入して、袋部をハウジングに形成した係止空間又は収納部の基端部に固定することにより、補強布の固定がより簡単且つ強固となる。
また、補強布を筒状に形成して、この補強布内に収納部を挿入した状態で収納部をハウジングに結合すれば、補強布の遊離部は収納部とハウジングとの間に挟まれ、補強布がより簡単且つ強固に固定され、袋体が外れることがない。
【図面の簡単な説明】
【図１】エアバッグ装置の正面図である。
【図２】エアバッグ装置の側面図である。
【図３】図１のＢ−Ｂ線断面図である。
【図４】図１のＡ−Ａ線断面図である。
【図５】第２実施例の図１Ａ−Ａ線断面図である。
【図６】第３実施例の図１Ａ−Ａ線断面図である。
【図７】第４実施例の図１Ａ−Ａ線断面図である。
【図８】第５実施例の図１Ａ−Ａ線断面図である。
【図９】袋体及び補強布の斜視図である。
【符号の説明】
１０    ハウジング
２０    インフレータ
３０，４０  収納部
３３，４３  収納部の基端部
３４，４４  ガス吐出口
５０    袋体
５１    袋体の開口部
５２    袋体の開口周縁部
６０    補強布
６１    補強布の開口部
６２    補強布の重合部
６３    補強布の遊離部
６４    袋部
６５    芯部材
Ｓ      係止空間
【図１】
0003629303.tif 000002
【図２】
0003629303.tif 000003
【図３】
0003629303.tif 000004
【図４】
0003629303.tif 000005
【図５】
0003629303.tif 000006
【図６】
0003629303.tif 000007
【図７】
0003629303.tif 000008
【図８】
0003629303.tif 000009
【図９】
0003629303.tif 000010